(57)【要約】      （修正有）【課題】十分な耐久性を有し、多数回の再利用が可能で、さらに複数の薄板材の組み合わせで板のサイズの限界にも適応する環境適応型公営選挙ポスター掲示板を提供する。【解決手段】アルミ複合板を使用して作成された掲示板であって前記掲示板の表面には透明のフィルム（ＪＫ−６２００）が貼られ、掲示板の裏面には骨格材が固着されており、骨格材が縦横に配置される。【選択図】図４
0003226072.tif 000002
【実用新案登録請求の範囲】
【請求項１】
掲示板の材質はアルミ材料で合成樹脂を挟んだアルミ複合版を使用し、表面に選挙用ポスターを貼り付ける。アルミ複合版の表面には選挙ポスターを貼り付けるために市町村の指定により１０ミリもしくは５ミリのラインが印刷されている。
まず、ポスターを貼る前に板用の大型ラミネーターを使って掲示板の表面に透明のフィルム（ＪＫ−６２００）を貼ることによって多数回のリサイクル使用を可能とする。
従来、構造上、２段６区画の掲示板を縦使いしていたものを新しく２段２区画と１段２区画の掲示板を作成、リブのデザインを縦横に配置することでどのような組み合わせの選挙に対しても柔軟に対応することができ、縦、横の組み合わせがより自由となる。
掲示板の裏面は固着されて複合版の全体の剛性を維持する骨格材とを備えることを特徴とする。組み合わせ自由であっても従来と変わらぬ強度を保つことができる。
【考案の詳細な説明】
【技術分野】
【０００１】    本考案は、環境適応公営選挙用ポスター掲示板に関し、特に、まず、透明のフィルム（ＪＫ−６２００）を使用して掲示板の表面にラミネート加工することにより繰り返して使用することができ、選挙経費の削減及び節税に十分貢献することができる。また、今までリブを立て使いするしかなかった  ２段４区画、１段２区画の掲示板についてリブを横使いすることができユニットを自在に組み合わせることができるようになる。そのことで候補者の人数の増加に自在に対応することができ、その設営及び撤去を迅速に行うことができ、利便性に優れた環境適応型公営選挙用ポスター掲示板に関するものである。
【背景技術】
【０００２】    従来、公営選挙用ポスター掲示板は垂木等の木枠にベニヤ板等の木製の薄板材を釘打ちにより貼り付けて構成される。そして、公営選挙開催のたびに、候補者の人数ごとに応じて木枠及び薄板材を所定寸法に切断し、木枠に薄板材を釘打ちにより貼り付けて作成し、所定の掲示場所に設営するという作業を行なっている。
しかし、従来の公営選挙用ポスター掲示板は、上記のように、木材性であるため、風雨等により破損する等の心配があり、耐久性の点で改善する余地がある。また、撤去後は廃棄処分とされており、地球環境への配慮の面で問題がある。
また、木材以外でも薄板材としてプラスチック板、アルミ板、貝殻、ＰＥＴボトルの再生材等を使用したものが考案されている。これらはある程度の耐久性の向上は期待できるものの、薄板材を木枠に釘打ちする等の作業が必要で、作成作業および設営作業の削減という点でも改善する余地がある。
【考案の概要】
【考案が解決しようとする課題】    本考案は、十分な耐久性を有し、多数回の再利用が十分に可能で、かつ、画鋲によるポスターの貼り付け掲示も可能とするとともに、再利用しない場合でも材料としてのリサイクルを容易に行うことができる環境適応型の公営選挙用ポスター掲示板であったが組み合わせにおいて従来の２段８区画、２段６区画、３段３区画、２段２区画、１段４区画の掲示板のみでは数の決まっている議会選挙において空白の区画が出たり、無理に掲示板を縦使いしなければならない事態が起きていた。
【課題を解決するための手段】  ２段２区画と１段２区画、さらに裏面のリブを縦、横に配置する新しいデザインによって全ての議会選挙に置いて空白を生じない掲示板の配置が可能となった。
このことによってどのような大きな掲示板において空白なく掲示板を提供できるが強度の問題については、当社の掲示板はもともと表面に選挙用ポスターを貼り付け自在な薄板材と、長尺状をなし、前期薄板材の裏面に固着されて前記薄板材の全体の剛性を維持するアルミ材料製の骨格材とを備える。前記薄板材は、圧縮合成樹脂からなる基板と、前記基板の表面の全体及び裏面の全体にそれぞれ積層した一対の金属層とから形成し、さらに、前記基板の表面の金属層にポスター貼り付け用の区画を印刷してなる物であるからどのような大きな区画になっても耐えうることができる。
さらにポスターを貼り付ける前に掲示板の表面に特注のラミネーターを使って透明のフィルム（ＪＫ−６２００）をコーティングすることによって繰り返しリサイクル利用ができ、環境にも適応している。
【考案の効果】    ２段２区画、１段２区画、さらに裏面のリブを縦横に配置することによって空白を生じないどのような議会選挙においても空白を生じさせることなく掲示板を組み合わせることができる。なおかつ、骨格材及び薄板材のに部門から構成されアルミ複合板であり軽く耐久性があり、かつ十分な耐久性を確保することができる。かつ、骨格材が１００パーセントアルミ材料からなるためさらに高い耐久性及びリサイクル性を付与される。さらに表面にラミネート加工することにより多数回の再利用が十分に可能である。【００３】当環境適応型公営選挙用ポスター掲示板は複数の前記骨格材を前記複合版の裏面の上下方向に所定間隔を置いて互いに平行に左右方向に伸びるよう配置して固着し、前記複数の骨格材の各々を前期複合版の裏面に固着される帯板状の固着材と、前記固着部から略直交状態で突出する長尺状の一対の掛止片とから構成し、前記両掛止片の先端部を互いに対向するよう略９０度折り曲げてそれぞれ断面Ｌ字状とし、前記両掛止片の先端間に一定幅のスライド溝を形成するとともに、前記両掛止片の内部に前記スライド溝より大きい幅の断面矩形状をなすスライド凹部を形成し、さらに設営場所に固定するための固定手段として、前記骨格材のスライド凹部に長さ方向へのスライド自在に収納されるとともに前記両掛止片に掛止される頭部と、前記スライド溝から前記骨格材の外部へと略直角交状態で突出する軸部とを有するボルトと、前記ボルトの軸部に螺合するナットとを備えることを特徴とする。【００４】前記固定手段として、さらに、前記ボルトの軸部を挿通自在な挿通孔を、前記複数の骨格材の配置間隔と同一間隔で長さ方向に複数形成した長尺状をなす主注材を備え、複数の前記主柱材を前記複合版の裏面側に前記骨格材と略直交するよう配置すると共に、前記複数の骨格材に取り付けた前記ボルトの軸部を前記主柱材の挿通孔に挿入して前記ナットを螺合することにより、前記主柱材を前記骨格材に略直交状態で固定し、前記主柱材を介して設営場所に固定するようにしたことを特徴とする。【００５】前記各主柱材は略直交する一対の帯板状の部分からなる断面略Ｌ事情をなし、一方の帯板状の部分に前記挿通孔を形成すると共に、他方の帯板状の部分にも所定間隔で、ボルトの軸部を挿通自在な第２の挿通孔を形成し、かつ、前記各第２の挿通孔を、前記挿通孔から突出する前記ボルトの軸部と干渉しない位置に形成し、前記固定手段として、さらに、ボルトの軸部を挿通自在な挿通孔を長さ方向に所定間隔で複数形成した長尺状の支柱材を備え、前記各主柱材の他方の帯板状の部分に前記支柱材を傾斜状態で配置し、前記主柱材の他方の帯板状の部分の第２の挿通孔と前記支柱材の挿通孔とを位置合わせして重ねた状態で、前記主柱材の第２の挿通孔及び前記支柱材の挿通孔にボルトの軸部を挿入してナットを螺合することにより、前記支柱材を前記主柱材に連結固定し、前記支柱材を介して前記主柱材を後方から支持するようにしたことを特徴とする。【００６】前記主柱材と前記支柱材とを同一構成とし、前記支柱材として前記主柱材を兼用したことを特徴とする。【００７】前記固定手段として、さらに、ボルトの軸部を挿通自在な挿通孔を長さ方向に所定間隔で複��形成した長尺状の第２の支柱材を備え、前記各主柱材の他方の帯板状の部分に傾斜状態で固定した前記支柱材に対して、前記第２の支柱材を垂直状態で配置し、前記支柱材の挿通孔と前記第２の支柱材の挿通孔とを位置合わせして重ねた状態で、前記支柱材の挿通孔及び前記第２の支柱材の挿通孔にボルトの軸部を挿入してナットを螺合することにより、前記第２の支柱材を前記支柱材に連結固定し、前記第２の支柱材を介して前記支柱材による前記主柱材の後方からの支持を補助するようにしたことを特徴とする。【００８】前記固定手段として、さらに、前記ボルトの軸部を挿通自在な挿通孔を、前記複数の骨格材の配置間隔と同一間隔で長さ方向に複数形成した長尺状の取付部と、前記取付部の長さ方向一端から湾曲または屈曲して延びる引掛部とを有するフック材を備え、複数の前記フック材の引っ掛け部を前記複合版と反対側に配置した状態で前記取り付け部を前記複合版の裏面側に前記骨格材と略直交するよう配置するとともに、前記複数の骨格材に取付けた前記ボルトの軸部を前記フック材の取付部の挿通孔に挿入して前記ナットを螺合することにより、前記フック材を前記骨格材に略直交状態で固定し、かつ、前記フック材の引掛部を設営場所の被引掛部位に引っ掛けて固定するようにした。【００９】前記フック材の引掛部を、前記被引掛部位の厚み及び形状に対応する寸法及び湾曲形状または屈曲形状とし、更に、前記引っ掛け部にクッション部材を設けたことを特徴とする。【０１０】更に、前記骨格材の両掛止片の外側面に略密接する断面チャンネル状の長尺状をなすと共に、前記骨格材のスライド溝に対向する部分にボルトの軸部を挿通自在な挿通孔を所定間隔で複数形成した連結材を備え、二枚の前記複合版をそれぞれの裏面に固着された骨格材が同一高さ位置となるよう左右に並べて配置し、前記２枚の複合版の裏面に固着された骨格材の連結部分に前記連結材を外側から嵌め込むとともに、前記連結材の挿通孔に前記ボルトの軸部を挿通し、前記ボルトに前記ナットを螺合して前記２枚の複合版を左右方向に連結自在としたことを特徴とする。【０１１】更に、前記複合版の裏面の左右方向に所定間隔を置いて互いに平行に上下方向に伸びるよう配置して固着される複数の第２の骨格材を備え、前記複数の第２の骨格材の各々を、前記複合版の裏面に固着される帯板状の固着部と、前記固着部から略直交状態で突出する長尺状の一対の掛止片とから構成し、前記両掛止片の先端部を互いに対向するよう略９０度折り曲げてそれぞれ断面Ｌ字状とし、前記両掛止片の先端間に一定幅のスライド溝を形成するとともに、前記両掛止片の内部に前記スライド溝より大きい幅の断面矩形状をなすスライド凹部を形成し、更に、前記第二の骨格材のスライド凹部に長さ方向へのスライド自在に収容されるとともに前記両掛止片に掛止される頭部と、前記スライド溝から前記第２の骨格材の外部へと略直交状態で突出する軸部とを有する第２のボルトと、前記ボルトの軸部に螺合する第２のナットと、前記第２の骨格材の両掛止片の外側面に略密接する断面チャンネル状の長尺状をなすとともに、前記第２の骨格材のスライド溝に対向する部分に前記第２のボルトの軸部を挿通自在な挿通孔を所定間隔で複数形��した第２の連結材とを備え、２枚の前記複合版をそれぞれの裏面に固着された骨格材が同一左右位置となるよう上下に並べて配置し、前記２枚の複合版の裏面に固着された第２の骨格材の連結部分に前記第２の連結材を外部から嵌め込むとともに、前記第２の連結材の挿通孔に前記第２のボルトの軸部を挿通し、前記第２のボルトに前記第２のナットを螺合して前記２枚の複合版を上下方向に連結自在としたことを特徴とする。【０１２】前記骨格材と前記第２の骨格材とを同一断面形状とするとともに、前記連結材と前記第２の連結材とを同一構成とし、前記第２の連結材として前記連結材を兼用するとともに、前記第２のボルト及び前記第２のナットとして前記ボルト及び前記ナットを兼用したことを特徴とする。【０１３】前記複合版として、表面に注意書きをあらかじめ印刷した第一の複合版と、表面にポスター掲示用の掲示枠を予め印刷した第二の複合版とを別個に形成し、前記連結材により連結するようにしたことを特徴とする。
【図面の簡単な説明】
【図１】本考案の一実施の形態にかかる環境適応型公営選挙用ポスター掲示板の背面側の主要部を示す分解傾斜図である。
【図２】本考案の一実施の形態に係る環境適応型公営選挙用ポスター掲示板の主要部を示す断面図である。
【図３】本考案の一実施の形態に係る環境適応型公営選挙用ポスター掲示板の一部を破断して示す正面図である。
【図４】本考案の一実施の形態に係る環境適応型公営選挙用ポスター掲示板の設営状態を背面側からみて示す斜視図である。
【図５】本考察の一実施の形態に係る環境適応型公営選挙用ポスター掲示板の薄板材を画鋲とともに示す要部断面図であり、（ａ）は画鋲の針部を薄板材に突き刺した時の保持状態を示し（ｂ）
【図６】本考案の一実施の形態に係る環境適応型公営選挙ポスター掲示板の掲示板に従来のものになかった２段４区画掲示板ｂと１段２区画掲示板ｃを付加した時の保持状態の正面図。
【図１】
0003226072.tif 000003
【図２】
0003226072.tif 000004
【図３】
0003226072.tif 000005
【図４】
0003226072.tif 000006
【図５】
0003226072.tif 000007
【図６】
0003226072.tif 000008
【手続補正書】
【提出日】令和1年12月5日(2019.12.5)
【手続補正１】
【補正対象書類名】実用新案登録請求の範囲
【補正対象項目名】全文
【補正方法】変更
【補正の内容】
【実用新案登録請求の範囲】
【請求項１】
本考案はポスターを貼る前に板用の大型ラミネーターを使って掲示板の表面に透明のフィルム（ＪＫ−６２００）を貼ることによって多数回のリサイクル使用を可能とするアルミ複合版で、従来、構造上  ２段６区画の掲示板を縦使いしていたものを２段２区画と１段２区画の掲示板を作成、リブのデザインを縦横に配置することでどのような組み合わせの選挙に対しても柔軟に対応することができ、縦、横の組み合わせがより自由となり、その掲示板の裏面は固着されて複合版の全体の構成を維持する骨格材とを備えることを特徴とする組み合わせ自由な環境適応型公営選挙用ポスター掲示板。
【手続補正書】
【提出日】令和2年2月6日(2020.2.6)
【手続補正１】
【補正対象書類名】実用新案登録請求の範囲
【補正対象項目名】全文
【補正方法】変更
【補正の内容】
【実用新案登録請求の範囲】
【請求項１】
アルミ複合板を使用して作成された掲示板であって前記掲示板の表面には透明のフィルム（ＪＫ−６２００）が貼られ、掲示板の裏面には骨格材が固着されており、骨格材が縦横に配置されることを特徴とする環境適応型公営選挙用ポスター掲示板。